(57)【要約】  少なくとも１つのインサートブシュ（３）と、ベアリング（２）と、ローラ（１）とを備えたローラユニット（Ｌ）として構成されるローラ、インサートピン（４）と、インサートピンに取り付けられた、請求項１〜７のいずれか１項に記載のローラであるローラとを備えるローラユニット、請求項１〜７のいずれか１項に記載のローラ、または請求項８〜１５のいずれか１項に記載のローラ装置を備えるリンクチェーン、および先行する請求項のいずれか１項に記載のリンクチェーンの、コンベヤチェーンとしての使用。
2019501089.tif 000002
【特許請求の範囲】
【請求項１】
少なくとも１つのインサートブシュ（３）と、ベアリング（２）と、ローラ（１）とを備えたローラユニット（Ｌ）として構成されることを特徴とするローラ。
【請求項２】
インサートブシュ（３）と、ベアリング（２）と、ローラ（１）とは、着脱可能に互いに結合され、ローラ（１）は、ベアリング（２）を介してインサートブシュ（３）の周りに回転可能に取り付けられていることを特徴とする、請求項１に記載のローラ。
【請求項３】
ローラ（１）とインサートブシュ（３）との間のベアリング（２）は、着脱可能に軸方向に固定され、着脱可能な軸固定部は、特に、ローラ（１）の内部空間に肩部（１４）と、インサートブシュ（３）の外表面上に対応する肩部（３３）と、ローラ（１）の溝（１３）および／またはインサートブシュ（３）の溝（３６）に挿入される、少なくとも１つの止め輪（５）とを含むことを特徴とする、請求項１または２に記載のローラ。
【請求項４】
ローラは、潤滑剤受容装置を備えることを特徴とする、請求項１〜３のいずれか１項に記載のローラ。
【請求項５】
潤滑剤受容装置は、潤滑剤受容空間（Ｒ）を有することを特徴とする、請求項１〜４のいずれか１項に記載のローラ。
【請求項６】
潤滑剤受容装置は、シールアセンブリ、特に、少なくとも１つのメカニカルシールを備えることを特徴とする、請求項１〜５のいずれか１項に記載のローラ。
【請求項７】
潤滑剤受容装置は、着脱可能にローラ（１）に結合されたローラカバー（１２）、および／または着脱可能にインサートブシュ（３）に結合されたインサートブシュカバー（３１）を有することを特徴とする、請求項１〜６のいずれか１項に記載のローラ。
【請求項８】
インサートピン（４）と、インサートピンに取り付けられたローラとを備えた、請求項１〜７のいずれか１項に記載のローラであることを特徴とするローラ装置。
【請求項９】
インサートブシュ（３）とインサートピン（４）との間に回転防止装置（８）を備え、該回転防止装置（８）は、特に、インサートブシュ（３）の内部空間に凸部（３５）を含み、インサートピン（４）に、対応する凹部（４５）を含むことを特徴とする、請求項８に記載のローラ装置。
【請求項１０】
ローラ装置は、インサートピン（４）に対するインサートブシュ（３）の軸方向変位を制限するための停止装置（９）を備え、該停止装置（９）は、特に、インサートピン（４）のところに肩部（４４）を有し、そしてインサートブシュ（３）のところに対応する肩部（３４）を有することを特徴とする、請求項８または９に記載のローラ装置。
【請求項１１】
ローラ装置には、ローラユニット（Ｌ）を、特に、インサートブシュ（３）を、インサートピン（４）上に、固定するための、好ましくは着脱可能に固定するための、特に、着脱可能に軸方向に固定するための固定システムが設けられることを特徴とする、請求項８〜１０のいずれか１項に記載のローラ装置。
【請求項１２】
固定システムは、インサートピン（４）に周方向溝（１００）と、その溝内に挿入される止め輪（１０１）とを有することを特徴とする、請求項１１に記載のローラ装置。
【請求項１３】
固定システムは、インサートブシュ（３）およびインサートピン（４）の整列した孔を通過して挿入されるロックピン（１０２）を有することを特徴とする、請求項１１または１２に記載のローラ装置。
【請求項１４】
固定システムは、好ましくは、ローラユニット（Ｌ）をインサートピン（４）上に工具を用いずに組み立てるためのクリップ固定システムとして構成され、該クリップ固定システムは、特に、インサートブシュ（３）の内部表面に、溝（３２）を、特に、周方向溝を含み、および、インサートピン（４）の表面には、溝（４３）を、特に、周方向溝を含み、そして、可撓性の止め輪（１０）を含むことを特徴とする、請求項１１〜１３のいずれか１項に記載のローラ装置。
【請求項１５】
クリップ固定システムは、解放装置を備え、特に、インサートピン（４）には、インサートピン（４）自体によって、およびインサートピンの前面の前で着脱可能に固定された、特に、ねじ止めされたプレート（４１）によって溝（４３）が形成されることを特徴とする、請求項１４に記載のローラ装置。
【請求項１６】
請求項１〜７のいずれか１項に記載のローラ、または請求項８〜１５のいずれか１項に記載のローラ装置を備えることを特徴とするリンクチェーン。
【請求項１７】
リンクチェーンは、少なくとも２つのチェーンリンク、特に内側リンクと外側リンクとを備え、内側リンクは、２つのブシュを有するブロックプレートとして形成され、または、２つのブシュ（Ｕ）によって互いに結合される少なくとも２つの内プレート（Ｉ）を含み、外側リンクは、２つのピン（Ｂ）で互いに結合される少なくとも２つの外プレート（Ａ）を含み、各ブシュと、隣り合ったチェーンリンクの、ブシュに挿入されるピンとが、チェーンリンクを構成し、インサートピン（４）は、外プレート（Ａ）から突出して延びるピン（Ｂ）として形成され、ローラユニットは、インサートピン上に差し込まれることを特徴とする、請求項１６に記載のリンクチェーン。
【請求項１８】
請求項１６または１７に記載のリンクチェーンの、コンベヤチェーンとしての使用。
【発明の詳細な説明】
【技術分野】
【０００１】
本発明は、請求項１の上位概念に従ったローラ、請求項８の上位概念に従ったローラ装置、および請求項１６の上位概念に従ったリンクチェーンおよび請求項１８の上位概念に従ったコンベヤチェーンとしての、発明に従ったリンクチェーンの使用に関する。
【背景技術】
【０００２】
あるタイプのローラが、よく知られている。それは、たとえば、リンクチェーンがコンベヤチェーンとして使用される場合には、リンクチェーンと関連して利用される。
【０００３】
リンクチェーンは、多数のチェーンリンクを含み、特に、内側リンクおよび外側リンクを含み、これらチェーンリンクは、多関節的に、すなわちチェーンリンクによって結合されている。これらのリンクは、リンクチェーンによって、たとえば、ドライブトレインにあるスプロケットに巻き掛けることを可能にする。
【０００４】
内側リンクは、好ましくは、２つの内プレートから形成され、これらの内プレートは２つのブシュによって互いに結合されている。また、ブロックプレートの形態の内プレートであってもよい。外側リンクは、好ましくは、２つのピンによって相互結合された２つの外プレートから形成される。隣接するチェーンリンクにおいて、ピンがブシュ内に旋回可能に受け入れられている。ピンとブシュとがチェーンリンクを形成する。この配置は、任意の長さのリンクチェーンを製造することができるように、必要に応じて繰り返すことができる。１つのチェーンリンク当たりのプレートの数も可変であるので、１つのチェーンリンクにつき２つ以上のプレートを設けることができる。
【０００５】
リンクチェーンは、多くの他の用途に加えてコンベアチェーンとしてしばしば使用される。この目的のために、ローラは、通常、ジョイントチェーンの延長されたピンまたはブッシングに取り付けられる。関節式チェーンのプレートまたは他の構成要素への取り付けが考えられる。ローラは、本質的に、連接チェーンがガイドレール上を走行することを可能にし、ガイドレールを介して、搬送される材料の負荷を除去することができる。また、ローラは摩擦や転がり摩擦が少ないために張力が減少するのでチェーンの張力も減少する。また、好ましくは、少なくともいくつかのプレートが、たとえばプラットフォームなどのアタッチメントに結合されるように構成されてもよい。この目的のために、例えば、いくつかのチェーンリンクは、例えば、取り付けのための結合手段を備えている。結合手段は、たとえば、実際のプレートに加えてアタッチメントを結合することができる腕を有する角度付けされたプレートとして設計することができる。横断面では、たとえば、Ｌ字形プレートとなる。
【０００６】
様々な物品や原材料を搬送する場合、搬送チェーンとして使用されるリンクチェーンは、運搬される材料自体と、環境および周囲の影響とにさらされる。このような汚れや、他の物質および液体が、リンクチェーンの一部の中に、特にローラに侵入し、に摩耗が速く増加させ得る。
【０００７】
リンクチェーンにおけるコンベヤ技術の分野において、ローラは、延長されたピンまたはブシュ上に、またはリンクチェーンに固定された他の軸要素上に取り付けられることが、技術水準である。
【０００８】
リンクチェーンとローラとのこのような組み合わせは、例えば、ドイツ国特許出願公開第１０２００６０５７４６１号明細書から知られている。
【０００９】
ローラが脱落したり、摩耗限界に達すると、それらを交換する必要がある。
【００１０】
ローラまたはそのベアリングは、延長ピンまたは軸要素に直接配置されているので、ローラの分解は高コストにつながる。そのような場合、例えば、プレスフィットによって結合された構成要素などのいくつかの構成要素は、次々に個別に解体されなければならない。しかしながら、その組み立ては高価になる。
【発明の概要】
【００１１】
これは、本発明が基礎とするところであり、改善されたローラを提供すること、特に、組み立ておよび/または分解が単純化されたローラを提供することを課題としている。
【００１２】
発明に従えば、この目的は、請求項１の特徴を有するローラによって解決される。ローラは、少なくとも１つのインサートブシュ、ベアリングおよびローラを備えたローラユニットとして構成されることによって、前記ユニットは全体として組み立てられ、分解されることが可能である。この点において、たとえば、ベアリングを単一部品として分解する必要はなく、インサートピンからローラおよびインサートブシュと共に取り外すことができる。換言すれば、発明に従えば、ローラは、ベアリングおよび好ましくはシールを含めて、インサートブシュに搭載される。インサートピンまたは軸要素上に挿入可能な、このインサートブシュを使用することにより、組立ておよび分解の労力を低減することが可能となる。この場合、ローラと、ベアリング、および好ましくはローラの密封のために必要なすべての構成要素とが、インサートブシュ上に搭載される。この組立体をローラユニットと呼ぶ。
【００１３】
発明に従ったさらなる有利な実施形態は、特に、従属請求項の特徴から明らかになるであろう。各請求項の目的または特徴は、基本的に互いに任意に組み合わせることができる。
【００１４】
発明に従った有利な実施形態において、インサートブシュ、ベアリングおよびローラが着脱可能に互いに結合され、ローラがベアリングを介してインサートブシュの周りに回転可能に取り付けられるようにすることができる。
【００１５】
発明に従ったさらなる有利な実施形態において、ローラとインサートブシュとの間のベアリングは着脱可能に軸方向に固定され、着脱可能な軸方向の固定部は、特に、ローラの内部空間の肩部と、インサートブシュの外表面上の対応する肩部と、ローラおよび／またはインサートブシュの溝に挿入される、少なくとも１つの止め輪とを含む。
【００１６】
発明に従ったさらに有利な実施形態において、ローラは潤滑剤受容装置を備える構成することができる。潤滑剤受容装置は、既に潤滑剤が充填されたコンパクトなローラユニットを提供することを可能にする。潤滑剤は、現場で、たとえばコンベアチェーンの汚染された環境において充填される必要はなく、ローラユニットに既に準備されている。
【００１７】
発明に従ったさらに有利な実施形態において、潤滑剤受容装置は、潤滑剤受容空間を備える構成とすることができる。潤滑剤受容空間は実質的にローラとインサートブシュの間の空間によって提供される。それは潤滑剤の容器として機能する。
【００１８】
発明に従ったさらなる有利な実施形態において、潤滑剤受容装置は、少なくとも１つのシールアセンブリ、特に、少なくとも１つのメカニカルシールを備える。シールアセンブリは、潤滑剤受容空間を密封することができる。メカニカルシール、または、別の、接触または非接触シールとメカニカルシールのとの組み合わせは、重度の汚れにも信頼できるものとして利用できることが示されている。メカニカルシールは、潤滑剤受容空間を密封するのに非常に適しており、特に、摺動リング同士が相対的に動く場合、組立中の汚れに対して非常に敏感である。完全なローラユニットを予め組み立てることにより、組み立てを清潔な場所で行うことができる。したがって、汚れによる汚染は最小限に抑えられる。
【００１９】
発明に従った別の有利な実施形態において、潤滑剤受容装置は、着脱可能にローラに結合されたローラカバー、および／または着脱可能にインサートブシュに結合されたインサートブシュカバーを有する構成とすることが可能である。潤滑剤受容空間は、最終的には、ローラとインサートブシュとの間のクリアランスによって与えられ、上述の部品によって閉じられ、特に、それ自体として筒状のローラはローラカバーによって、それ自体として筒状のインサートブシュは、ブシュカバーによって閉じられる。特に、潤滑剤受容空間にアクセス可能にするために、部品の、ローラカバー、インサートブシュカバーは、後になってから取り外すことが可能である。これにより、たとえば潤滑剤の補充または交換のために、潤滑剤受容空間を利用可能にすることが可能になる一方、他方において、たとえば、インサートピンの前面など、部品にアクセス可能となり、クリップ結合手段を解除することが可能である。
【００２０】
発明に従った別の目的は、インサートピンと、インサートピンに取り付けられたローラとを備え、組立および／または分解が簡単化されたローラ装置を提供することである。
【００２１】
発明に従えば、この目的は、請求項８の特徴を特徴とすることによって達成される。請求項１〜７の少なくともいずれか１項に従ったローラとすることによって、ローラユニットとして形成されたローラの上述の利点を、ローラ装置のために利用することが可能である。このローラ装置の適用分野は様々である。最終的に、インサートピンを、多くの様々な部品に取り付けることが可能であり、たとえば、リンクチェーンのプレートに、取付け部品に取り付けることが可能である。コンベヤベルトのプラットフォームに、ローラが必要とされるまったく一般的なところに取り付けることができる。
【００２２】
発明に従ったさらなる有利な実施形態は、特に、従属請求項の特徴から明らかになるであろう。各請求項の目的または特徴は、基本的に互いに任意に組み合わせることができる。
【００２３】
発明に従った別の有利な実施形態において、ローラ装置は、インサートブシュとインサートピンとの間に回転防止装置を備える構成とすることが可能であり、回転防止装置は、インサートブシュの内部空間に凸部を含み、インサートピンに対応する凹部を含む。回転防止装置は、回転に対してインサートブシュを保護する。最終的には、ローラの回転がベアリングを介して行われる、たとえば、インサートブッシュのインサートピン上での回転が行われないことが保証される。
【００２４】
発明に従った別の有利な実施形態において、ローラ装置は、インサートピンに対するインサートブシュの軸方向変位を制限するための停止装置を備えてもよく、その停止装置は、特に、インサートピンのところに肩部を有し、そしてインサートブシュのところに対応する肩部を有している。前述の対策によって、インサートブシュを、予め定められた長さに亘ってのみインサートピン上に向かって確実に押すことが可能である。
【００２５】
発明に従ったさらなる有利な実施形態において、前記ローラ装置には、ローラユニットを、特にインサートブシュを、インサートピン上に、固定するための、好ましくは着脱可能に固定するための、特に、着脱可能に軸方向に固定するための固定システムが設けられることが可能である。
【００２６】
発明に従った有利な実施形態において、このような固定システムは、たとえば、インサートピンに周方向溝と、その溝内に挿入することが可能である対応する止め輪とを有することが可能である。止め輪は、インサートブシュの前に位置して、インサートブシュの、よってローラユニットの、インサートピン上の対応する軸方向変位を防止する。変形例も簡単かつ堅牢に実施することができる。
【００２７】
発明に従ったさらなる有利な実施形態において、固定システムは、インサートブシュおよびインサートピンの整列した孔を通過して挿入されるロックピンを有することが可能である。この固定システムは、潤滑剤受容空間の外側に配設することが可能であり、したがって、特に組み立てまたは分解が容易である。
【００２８】
発明に従った別の有利な実施形態において、固定システムは、好ましくは、ローラユニットをインサートピン上に工具を用いずに組み立てるためのクリップ固定システムとして構成することが可能であり、この場合、クリップ固定システムは、インサートブシュの内部表面に、特に、溝を、特に、周方向溝を含み、および、インサートピンの表面には、溝を、特に周方向溝を含み、そして、可撓性の止め輪を含む。ローラユニットがインサートピンに向かって押されると、止め輪を、溝が整列するまで後ろに後退させて、ローラユニットを両溝内に受容させて、ローラユニットが外れることが防止する。この組み立ては、特に工具なしで簡単に行うことができる。
【００２９】
発明に従った別の有利な実施形態において、クリップ固定システムは、解放装置を備え、その場合、特に、インサートピンには、インサートピンそれ自体によって、およびインサートピンの前面の前でねじ止めされたプレートによって溝が形成される。結果として、解放可能なクリップ固定システムが提供され、それは簡単で堅牢に構成され、現場で容易に開放することができる。プレートはローラカバーとインサートブシュカバーを取り除いた後に、現場でねじをゆるめることが可能であり、それによって溝は片側だけ開放され、ローラユニットを、インサートピンから取り外すことができる。したがって、インサートブシュもインサートピンから取り外すことができ、よって、全ローラユニットをインサートピンから取り外すことが可能である。組立は、再びプレートをねじ止めして、ローラユニットを押して、通常どおり行う。ローラユニットは、交換も可能であり、または、たとえば、再度潤滑剤を充填してもよく、ローラカバーを新しく交換して閉じることも可能である。ローラユニットは、再度簡単に差し込むことによって、インサートピン上に固定することが可能である。
【００３０】
発明に従った他の目的は、ローラの組立および／または分解が簡単化されたローラ装置を備えたリンクチェーンを提供することである。
【００３１】
発明に従えば、この目的は、請求項１６の特徴によって達成される。リンクチェーンは請求項１〜７の少なくとも１つに従ったローラ、または請求項８〜１５の少なくとも１つに従ったローラ装置を備えることによって、ローラ装置またはローラの上述の利点を利用することが可能となる。
【００３２】
発明に従ったさらなる有利な実施形態は、特に、従属請求項の特徴から明らかになるであろう。各請求項の目的または特徴は、基本的に互いに任意に組み合わせることができる。
【００３３】
発明に従った有利な実施形態において、リンクチェーンは、少なくとも２つのチェーンリンク、特に内側リンクと外側リンクとを備え、内側リンクは、２つのブシュを有するブロックプレートとして形成され、または、２つのブシュによって互いに結合される少なくとも２つの内プレートを含み、外側リンクは、２つのピンによって互いに結合される少なくとも２つの外プレートを含み、各ブシュと、隣り合ったチェーンリンクの、ブシュに挿入されるピンとが、チェーンリンクを構成し、インサートピンは、外プレートから突出して延びるピンとして形成され、ローラユニットは、インサートピン上に差し込まれる。これについては、既に存在するピンを延長して、リンクチェーンからインサートピンとして適切に導出することが望ましい。インサートピンは、実質的に、ローラユニットをリンクチェーンに結合するのに役立ち、好ましくは、外プレートから垂直に突出する。延ばされたピンは、インサートピンとして適切に利用することができる。
【００３４】
上記のリンクチェーンの好ましい用途は、いわゆるコンベヤチェーンである。この目的のために、リンクチェーンは、ローラに加えて、たとえばプラットフォームのようなアタッチメントを取り付けるための結合手段を備える。発明に従ったコンベヤチェーンは、実質的に、発明に従ったリンクチェーンと、少なくとも１つのローラまたはローラユニットまたはローラ装置と、たとえば、プラットフォームのようなアタッチメントのための少なくとも１つの結合手段とを備える。
【００３５】
本発明のさらなる特徴および利点は、添付の図面を参照して、以下の好ましい実施形態の説明から明らかになるであろう。
【図面の簡単な説明】
【００３６】
【図１】斜視図において、発明に従った、ローラユニットとして構成されたローラを示す。
【図２】斜視図において、発明に従った、ローラユニットとして構成されたローラを示す。
【図３】断面図において、発明に従った、ローラユニットとして構成されるローラを示す。
【図４】斜視図および部分的断面図において、発明に従った（リンクチェーンの外プレートを有する）ローラ装置を示す。
【図５】断面図において、発明に従った（リンクチェーンの外プレートを有する）ローラ装置を示す。
【図６】斜視図において、発明に従った、コンベヤチェーンとして構成されたチェーンを示す。
【図７】斜視図において、ローラユニットを含まない、発明に従った、コンベヤチェーンとして構成されるリンクチェーンを示し斜視図である。
【図８】断面図において、固定システムであるが、クリップ固定システムは有さない、固定システムが設けられた、発明に従った（外プレートを有する）ローラ装置のさらなる実施形態を示す。
【図９】断面図において、発明に従った（外プレートを有する）ローラセンブリの更なる実施形態を示す。
【発明を実施するための形態】
【００３７】
発明に従ったローラは、インサートブシュ３、ベアリング２、特にピボットベアリングとローラ１とを有するローラユニットＬとして構成されている。インサートブシュ３とベアリング２とローラ１とは着脱自在に結合されており、ローラ１は、ベアリング２を介してインサートブシュ３の周りに回転可能に取り付けられている。
【００３８】
インサートブシュ３は、実質的に中空の円筒形に設計され、したがって、外部表面と、内部表面を有する内部空間とを有する。インサートブシュ３は、主に円形の円筒形の断面を有する。インサートブシュの材料は、好ましくは金属、特に問題の鋼であるが、高強度プラスチック、非鉄金属などの他の材料も問題となる。インサートブシュ３には、その内側に長手方向に溝３７が設けられており、この溝３７は、インサートピン４上に組立て中に通気孔として機能することができる。
【００３９】
ローラ１は、好ましくは、たとえば金属、特に鋼、プラスチック、非鉄金属または他の適切な材料で作られた従来のローラである。要するに、ローラ１は、中空円筒体として設計されている。
【００４０】
ローラ１とインサートブシュ３との間に配置されたベアリング２、特にピボットベアリングは、好ましくは転がり軸受、特にボールベアリングである。しかしながら、他のタイプのベアリングも考えられる。ベアリング２は、好ましくは、ローラ１とインサートブシュ３との間に軸方向に着脱自在に固定される。この目的のために、たとえば、ローラ１の内部に対応する肩部１４と、その外側表面上のインサートブシュ３も対応する肩部３３とを有する。ベアリング２は、ローラ１とインサートブシュ３との間に、両方の肩部１４，３３に当接するまで挿入される。挿入されたベアリング２は、ローラ１の溝１３および／またはインサートブシュ３の溝３６に挿入された少なくとも１つの固定リング５によって固定することができる。ベアリング２の修正のために、保持リング５を再び取り外すこともできる。ここにおいては、ポジティブロック式の解放可能な結合が使用されることが好ましい。しかしながら、摩擦結合などの他の結合メカニズムも考えられる。
【００４１】
ローラユニットＬは、好ましくは、適切なインサートピン４にインサートブシュ３を用いて全体として差し込むことができ、またはさらに好ましくは、インサートピン４から全体として取り外すことができるコンパクトなユニットを表す。
【００４２】
さらに、ローラユニットＬは、好ましくはローラユニットをインサートピン４に取り付ける前に充填を可能にする潤滑剤受容装置を備えていてもよい。
【００４３】
潤滑剤受容装置は、実質的に、潤滑剤受容空間Ｒ、シールアセンブリ、ローラに取り外し可能に結合されたローラカバー１２および／またはインサートブシュ３に取り外し可能に結合されたインサートブシュカバー３１を備える。
【００４４】
シールアセンブリは、メカニカルシール６、またはこのメカニカルシールとさらなる接触（または非接触）シールとの組み合わせを含むことができる。さらに、シールアセンブリは、ハウジング７を備えることができる。メカニカルシール６は、通常、第１のシールリング６１と第２のシールリング６２とを備える。第１のシールリングは、好ましくは、ローラ１とインサートブシュ３との間に受容される。この目的のために、たとえば、ローラ１に環状凹部１５を設けることができる。第２のシールリング６２は、たとえば、断面がＬ字形のリングとインサートブシュ３の一部とによって形成されたたとえばハウジング７内に収容されてもよい。このリングは、たとえば、インサートブシュ３にねじ止め、圧入または他の方法で取り付けられてもよい。ハウジング７は、インサートブシュ３から一体に形成することもできる。好ましくは、シールアセンブリ、特にメカニカルシール６は、好ましくはインサートブシュ３上に直接装着されることが提供される。したがって、シールアセンブリ、特にメカニカルシール６は、もはやインサートピン４上に直接配置する必要はなく、インサートブシュ３上に配置することができる。シールアセンブリは、潤滑剤受容空間Ｒ、特に中空円筒形ローラ１を閉鎖するのに役立つ。
【００４５】
ローラカバー１２は、好ましくは、ローラ１の他の側、すなわちシールアセンブリの反対側に位置するローラユニットＬの側に配置される。好ましくは、ローラカバー１２は、ローラ１の止め輪１６とローラ１の溝１１とによって解放可能に固定される。このポジティブロック式の結合手段に加えて、問題の代替の、解放可能な結合方法もある。ローラカバー１２は、潤滑剤受容空間Ｒ、特に中空円筒状ローラ１を閉鎖するのに役立つ。
【００４６】
インサートブシュカバー３１は、インサートブシュ３の正面であるローラカバー１２の直後に配置される。インサートブシュカバー３１は、インサートブシュ３と締まり嵌めによって、または別の適切な方法で結合されていてもよい。インサートブシュカバー３１は、特に、中空円筒のインサートブシュ３に関して、潤滑剤受容空間Ｒを閉鎖するのに役立つ。
【００４７】
ローラ１とインサートブシュ３との間、およびローラカバー１２とインサートブシュカバー３１とシールアセンブリ、特に第１のシールリング６１との間には、好ましくはベアリング２によって完全には満たされていない隙間がある。この隙間の残りの部分は、好ましくは、潤滑剤受容空間Ｒを形成する。
【００４８】
潤滑剤受容空間Ｒには、ベアリング２の潤滑を確保することができる油またはグリース等の潤滑剤が充填されている。この場合、ローラユニットＬの組み立て前に、潤滑剤が潤滑剤受容空間Ｒ内に既に充填されていてもよく、すなわち潤滑剤は、たとえばコンベアチェーンの汚染環境などの現場において充填される必要はない。この状況は、メカニカルシールとして設計されたシールアセンブリにとって特に有益である。なぜなら、シールは非常に良好であるが、それは一般に汚れの影響を非常に受けやすいからである。
【００４９】
発明に従ったローラ装置は、実質的に、発明に従ったローラユニットＬと、インサートブシュ３の挿入に適した、またはインサートブシュに挿入されたインサートピン４とを備える。さらに、ローラ装置は、回転防止装置８、停止装置９および／または固定システム、特にクリップ固定システムを備えることができる
【００５０】
インサートピン４は、好ましくは、ピンまたはボルト、たとえばリンクチェーンから突出したチェーンリンクの延長ピンＢであり、その上にインサートブッシュ３およびしたがってローラユニットＬを全体として塞ぐことができる。しかしながら、コンベヤベルトのプラットフォームのようなアタッチメントに取り付けられるピンのような他のインサートピンも考えられる。そのような役割は、たとえば、コンベヤベルトの中央ガイドの一部に取り付けられている。この点において、インサートブシュの内部空間は、実質的にインサートピンの外側輪郭に対応し、ローラユニットＬがインサートピン４に挿入されるまたは固定されることを可能にする。
【００５１】
ローラユニットがインサートピンに向かって軸方向に所定の程度だけ確実に押されることを確実にするために、ローラ装置は、好ましくは停止装置９を備えている。停止装置は、たとえば、インサートピン４の肩部４４と、インサートブシュ３の対応する肩部３４とを備えていてもよい。
【００５２】
ローラユニットがインサートピン上で回転しないようにするために、好ましくは、回転防止装置８が設けられている。回転防止装置は、たとえば、インサートブシュ３の内部空間の断面における凸部３５と、それに対応するインサートピン４の凹部４５とから形成することができる。本明細書に記載のポジティブロック式の回転防止装置８は、摩擦的に、または他の適切な方法で構成することもできる。
【００５３】
停止装置および回転防止装置は、１つの装置内で組み合わせることができる。
【００５４】
固定システムは、インサートピン４上への、ローラユニットＬ、特にインサートブシュ３の、固定、好ましくは着脱可能な固定、特に、着脱可能な軸方向固定のために用いられる。このような固定システムは、たとえば図８および図９に示されている。しかしながら、まず、クリップ固定システムとしての固定システムの実施形態について説明する。
【００５５】
クリップ固定システムは、好ましくは工具なしで、インサートピン４上へのローラユニットＬの取り付け、特に軸方向固定を可能にする。この目的のために、好ましくは、インサートブシュ３には、内部表面の適当な箇所に溝３２が、好ましくは周方向溝が設けられ、インサートピンの外部表面には対応する溝４３が設けられる。随意に、可撓性の止め輪１０、すなわちクリップがインサートピンまたはインサートブシュの溝に挿入される。ローラユニットＬがインサートピン４に向かって押されると、止め輪１０は最初に、溝３２，４３が整列するまで後退して、両方の溝３２，４３に受け入れられ、ローラユニットＬが外れるのを妨げる。クリップ固定システムは、好ましくは、ポジティブロック式の結合手段として設計されるが、他のタイプの結合も考えられる。
【００５６】
さらに、クリップ固定システムは、クリップ固定システムのその後の解放を可能にする解放装置を備えることができる。この目的のために、たとえば、インサートピンの溝４３は、インサートピン４自体と、インサートピンの前面にねじ４２によってねじ止めされたまたは他の方法で着脱可能に取り付けられたプレート４１とによって形成される。クリップ固定システムを再び解放するために、ローラカバー１２およびインサートブシュカバー３１を取り外し、プレート４１をねじ４２を緩めて取り外す。これによって、ローラユニットをインサートピン４から取り外すことができる。組み立ては、プレート４１が最初に再びねじ止めされるとき、通常どおりに行われる。ローラユニットＬは、交換することが可能であり、または、たとえば潤滑剤を再び充填することが可能であり、ローラカバー１２またはインサートブシュカバー３１は再び閉じられる。ローラユニットＬは、単にインサートピン４に挿入するだけで再び固定することができる。
【００５７】
発明に従ったリンクチェーン装置は、実質的に、リンクチェーンと、発明に従ったローラ装置とを含む。
【００５８】
リンクチェーンの構築は、当業者には十分に知られている。リンクチェーン、特にブッシュチェーンは、実質的に、互いに隣り合って配置された２つのチェーン要素から構成される。これらの要素は、内側リンクおよび外側リンクとも呼ばれる。外側リンクは、通常、２つのピンＢによって相互に連結された２つの外プレートＡからなる。内側リンクは、通常、２つのブシュＵによって相互結合された２つの内プレートＩから構成される。また、たとえばブロックプレートとして構成された１つのプレートのみを有する実施例も考えられる。いずれの場合においても、チェーンリンクに隣接する、ブシュＵとそのブシュに挿入されたピンＢとは、チェーンリンクを形成する。これらのリンクは、リンクチェーンによって、たとえば、ドライブトレインにあるスプロケットに巻き掛けることを可能にする。
【００５９】
リンクチェーンは、多くの他の用途に加えてコンベアチェーンとしてしばしば使用される。この目的のために、少なくとも１つのローラ、ここでは発明に従った、ローラユニットＬとして形成された少なくとも１つのローラを備えた、および好ましくはたとえばプラットフォームのようなアタッチメントを取り付けるための結合手段Ｍを備えたリンクチェーンが提供される。
【００６０】
アタッチメントのための結合手段Ｍとして、たとえば、問題の断面Ｌ字アングルブラケットが、リンクチェーン内の従来のプレートの代わりに、またはその従来のプレートに加えて、取り付けられる。しかしながら、アタッチメントのための他の結合手段も考えられる。
【００６１】
既に上述したように、少なくとも１つのローラユニットＬを有するリンクチェーンとして構成された発明に従ったリンクチェーンが提供される。それぞれのローラユニットＬを取り付けるために、リンクチェーンは、ローラユニットＬを取り付けるために適合する、関連するインサートピン４を備えている。一般的には、インサートピン４は、ピン部がインサートピン４としてリンクチェーンの外プレートＡから突出している、リンクチェーンの延長ピンＢである。インサートピン４は通常、チェーンの長手方向または走行方向に垂直に、配設されている。
【００６２】
ローラまたはローラ装置のわずかに修正されたタイプが図８に示される。ここで、ローラカバー１２には、潤滑剤の充填開口部１２１が設けられている。また、ここに示す実施形態は、クリップ固定システムもインサートブシュカバーも有さない。差し込まれた状態においてインサートブシュ３の外側にあるインサートピンの溝１００には、止め輪１０１が差し込まれている。これにより、インサートブシュ３がインサートピン４上で軸方向に固定される。その結果、前述の固定システムが提供される。
【００６３】
ローラまたはローラ装置の別の実施形態が図９に示される。ここで、インサートピン４上へのインサートブシュ３の固定システムは、実質的にロックピン１０２によって実現され、ロックピン１０２は、整列した孔を通してインサートブシュ３とインサートピン４に挿入される。整列した孔は、好ましくは、潤滑剤受容空間Ｒの外側に、特に、ハウジング７とプレートＡとの間に位置する。孔は、好ましくはインサートブシュ３またはインサートピン４の長手軸に対して横方向に整列する。固定システムのこの実施形態において、たとえば、回転防止装置８および／または停止装置９は省略可能である。
【００６４】
図面には以下の参照番号が使用されている。
【符号の説明】
【００６５】
Ａ  外プレート
Ｉ  内プレート
Ｂ  ピン
Ｕ  ブシュ
Ｍ  結合手段
Ｌ  ローラユニット
Ｒ  潤滑剤受容空間
１  ローラ
２  ベアリング
３  インサートブシュ
４  インサートピン
５  止め輪
６  メカニカルシール
７  ハウジング
８  回転防止装置
９  停止装置
１０  止め輪
１１  溝
１２  ローラカバー
１３  溝
１４  肩部
１５  凹部
１６  止め輪
３１  インサートブシュカバー
３２  溝
３３  肩部
３４  肩部
３５  凸部
３６  溝
４１  プレート
４２  ねじ
４３  溝
４４  肩部
４５  凹部
６１  第１のシールリング
６２  第２のシールリング
１００  溝
１０１  止め輪
１０２  ロックピン
１２１  閉鎖可能な開口部／充填開口部
【図１】
2019501089.tif 000003
【図２】
2019501089.tif 000004
【図３】
2019501089.tif 000005
【図４】
2019501089.tif 000006
【図５】
2019501089.tif 000007
【図６】
2019501089.tif 000008
【図７】
2019501089.tif 000009
【図８】
2019501089.tif 000010
【図９】
2019501089.tif 000011
【手続補正書】
【提出日】平成30年8月30日(2018.8.30)
【手続補正１】
【補正対象書類名】特許請求の範囲
【補正対象項目名】全文
【補正方法】変更
【補正の内容】
【特許請求の範囲】
【請求項１】
インサートピン（４）と、
インサートピンに取り付けられたローラであって、少なくとも１つのインサートブシュ（３）と、ベアリング（２）と、ローラ（１）とを備えたローラユニット（Ｌ）として構成されるローラと、
ローラユニット（Ｌ）を、特に、インサートブシュ（３）を、インサートピン（４）上に、固定するための、好ましくは着脱可能に固定するための、特に、着脱可能に軸方向に固定するための固定システムと、を備えるローラ装置であって、
固定システムは、ローラユニット（Ｌ）をインサートピン（４）上に、好ましくは、工具を用いずに組み立てるためのクリップ固定システムとして構成され、該クリップ固定システムは、インサートブシュ（３）の内部表面に、溝（３２）を、特に、周方向溝を含み、および、インサートピン（４）の表面には、溝（４３）を、特に、周方向溝を含み、そして、可撓性の止め輪（１０）を含むことを特徴とするローラ装置。
【請求項２】
インサートブシュ（３）と、ベアリング（２）と、ローラ（１）とは、着脱可能に互いに結合され、ローラ（１）は、ベアリング（２）を介してインサートブシュ（３）の周りに回転可能に取り付けられていることを特徴とする、請求項１に記載のローラ装置。
【請求項３】
ローラ（１）とインサートブシュ（３）との間のベアリング（２）は、着脱可能に軸方向に固定され、着脱可能な軸固定部は、特に、ローラ（１）の内部空間に肩部（１４）と、インサートブシュ（３）の外表面上に対応する肩部（３３）と、ローラ（１）の溝（１３）および／またはインサートブシュ（３）の溝（３６）に挿入される、少なくとも１つの止め輪（５）とを含むことを特徴とする、請求項１または２に記載のローラ装置。
【請求項４】
ローラは、潤滑剤受容装置を備えることを特徴とする、請求項１〜３のいずれか１項に記載のローラ装置。
【請求項５】
潤滑剤受容装置は、潤滑剤受容空間（Ｒ）を有することを特徴とする、請求項４に記載のローラ装置。
【請求項６】
潤滑剤受容装置は、シールアセンブリ、特に、少なくとも１つのメカニカルシールを備えることを特徴とする、請求項４または５に記載のローラ装置。
【請求項７】
潤滑剤受容装置は、着脱可能にローラ（１）に結合されたローラカバー（１２）、および／または着脱可能にインサートブシュ（３）に結合されたインサートブシュカバー（３１）を有することを特徴とする、請求項４〜６のいずれか１項に記載のローラ装置。
【請求項８】
インサートブシュ（３）とインサートピン（４）との間に回転防止装置（８）を備え、該回転防止装置（８）は、特に、インサートブシュ（３）の内部空間に凸部（３５）を含み、インサートピン（４）に、対応する凹部（４５）を含むことを特徴とする、請求項７に記載のローラ装置。
【請求項９】
インサートピン（４）に対するインサートブシュ（３）の軸方向変位を制限するための停止装置（９）を備え、該停止装置（９）は、特に、インサートピン（４）のところに肩部（４４）を有し、インサートブシュ（３）のところに対応する肩部（３４）を有することを特徴とする、請求項１〜８のいずれか１項に記載のローラ装置。
【請求項１０】
クリップ固定システムは、解放装置を備え、特に、インサートピン（４）には、インサートピン（４）自体によって、およびインサートピンの前面の前で着脱可能に固定された、特に、ねじ止めされたプレート（４１）によって溝（４３）が形成されることを特徴とする、請求項１〜９のいずれか１項に記載のローラ装置。
【請求項１１】
請求項１〜１０のいずれか１項に記載のローラ装置を備えることを特徴とするリンクチェーン。
【請求項１２】
リンクチェーンは、少なくとも２つのチェーンリンク、特に内側リンクと外側リンクとを備え、内側リンクは、２つのブシュを有するブロックプレートとして形成され、または、２つのブシュ（Ｕ）によって互いに結合される少なくとも２つの内プレート（Ｉ）を含み、外側リンクは、２つのピン（Ｂ）で互いに結合される少なくとも２つの外プレート（Ａ）を含み、各ブシュと、隣り合ったチェーンリンクの、ブシュに挿入されるピンとが、チェーンリンクを構成し、インサートピン（４）は、外プレート（Ａ）から突出して延びるピン（Ｂ）として形成され、ローラユニットは、インサートピン（４）上に差し込まれることを特徴とする、請求項１１に記載のリンクチェーン。
【請求項１３】
請求項１１または１２に記載のリンクチェーンの、コンベヤチェーンとしての使用。
【国際調査報告】
2019501089.tif 000012
2019501089.tif 000013
2019501089.tif 000014
2019501089.tif 000015
2019501089.tif 000016
2019501089.tif 000017
2019501089.tif 000018
2019501089.tif 000019
2019501089.tif 000020
2019501089.tif 000021